(57)【特許請求の範囲】
【請求項１】
ディスクセット部の周囲複数箇所に、上記ディスクセット部にセットされたディスクの脱落を阻止する閉位置とディスクセット部へのディスクの出入れを可能にする開位置との間で出退可能にディスクホルダーが取り付けられたトレイ本体を有し、上記各ディスクホルダーを押引き動作を通じて同時に閉位置と開位置との間で出退させる可動体と、この可動体を押引き動作させるための操作摘みと、を備えているディスクトレイにおいて、
上記可動体は、上記トレイ本体に重なり合う状態で配備されていると共に、トレイ本体に突設された係合片によって複数箇所で脱落しないように当該可動体の押引き方向である前後方向にスライド可能に保持されており、
上記操作摘みが上記可動体の前端部に設けられていて、その操作摘みが上記トレイ本体の前端部に開設されている口部に嵌合されてトレイ本体の表側に露出されていることを特徴とするディスクトレイ。
【請求項２】
上記各ディスクホルダーが揺動して上記閉位置と上記開位置との間で出退可能であり、それぞれのディスクホルダーの揺動中心部とそれぞれのディスクホルダーに各別に対応する揺動部材とが、トレイ本体の複数箇所に回転可能に貫挿された各別の回転軸を介して連結されており、上記可動体はその押引き動作を通じて上記各揺動部材を正逆揺動させることにより上記各回転軸を介して上記各ディスクホルダーを同時に閉位置と開位置との間で出退させる機能を備えている請求項１に記載したディスクトレイ。
【請求項３】
上記揺動部材が歯車であり、それぞれの揺動部材を形成している上記歯車に噛み合うラック部が上記可動体に設けられている請求項２に記載したディスクトレイ。
【請求項４】
ディスクセット部が表側に形成された上記トレイ本体の表側に上記ディスクホルダーが配備され、上記トレイ本体の裏側に上記揺動部材と上記可動体とが配備され、上記操作つまみが上記可動体に連設されてトレイ本体に具備された口部からトレイ本体の表側に露出されている請求項２又は請求項３に記載したディスクトレイ。
【請求項５】
上記各ディスクホルダーが、上記閉位置に復帰する方向に常時弾発付勢されており、操作摘みの操作を通じて上記各ディスクホルダーが上記弾発付勢力に抗して閉位置から開位置に向けて揺動されるようになっている請求項１ないし請求項４のいずれかに記載したディスクトレイ。
【請求項６】
上記各ディスクホルダーが、上記可動体の押引き方向に交差する方向の往復直線運動を行って上記閉位置と上記開位置との間で出退可能であり、かつ、各ディスクホルダーが上記閉位置側に向けて常時弾発付勢されていると共に、それぞれのディスクホルダーに摺動部が具備されており、
上記可動体は、その押引き動作を通じて上記摺動部に対する押圧動作又は離間動作を行ってその摺動部の変位を通じ上記ディスクホルダーを出退させる傾斜した作用面を備えている請求項１に記載したディスクトレイ。
【請求項７】
ディスクセット部が表側に形成された上記トレイ本体の表側に上記ディスクホルダーが配備され、そのディスクホルダーに連設された脚片部が上記トレイ本体に開設された開口に挿通されており、その脚片部に形成された上記摺動部と上記可動体とが上記トレイ本体の裏側に配備され、上記操作つまみが上記可動体に連設されてトレイ本体に具備された口部からトレイ本体の表側に露出されている請求項６に記載したディスクトレイ。
【請求項８】
上記開口の口縁からトレイ本体の裏側へ突き出された突片部と上記脚片部とそれらの突片部及び脚片部の端部同士を連設している湾曲部とによって弾性片部が形成され、この弾性片部と上記ディスクホルダーとトレイ本体とが合成樹脂で一体成形されている請求項７に記載したディスクトレイ。
【請求項９】
上記可動体は、その作用面を上記摺動部から離間させる復帰方向に常時弾発付勢されている請求項６ないし請求項８のいずれかに記載したディスクトレイ。
【請求項１０】
上記ディスクホルダーを開位置に保持する手段を備えている請求項１ないし請求項９のいずれかに記載したディスクトレイ。
【請求項１１】
上記手段が、上記操作摘みとその操作摘みをトレイ本体の表側に露出させている上記口部の口縁部との間に着脱自在に介在されるスペーサでなり、そのスペーサが、操作摘み及びトレイ本体のうちのいずれか一方側に連結されている請求項１０に記載したディスクトレイ。
【発明の詳細な説明】
【０００１】
【発明の属する技術分野】
本発明は、磁気ディスクや光ディスクなどの記録媒体としてのディスクをドライブに出し入れする際に用いられるディスクトレイに関する。
【０００２】
【従来の技術】
特開平８−２３５７１３号公報、特開平１０−２７４０７号公報、特開平１１−３９７６２号公報などにディスクトレイについての記載があり、それらによると、ドライブに取り付けられたディスクトレイの複数箇所に、そのディスクトレイのディスクセット部にセットしたディスクがディスクセット部から脱落しないようにすることに役立つディスクホルダーを設けることが記載されている。このようなディスクホルダーでディスクの脱落を防ぐ必要があるのは、主に、ディスクトレイを起立姿勢にして使用する場合、言い換えると、ディスクトレイが縦置き姿勢のドライブに装備されている場合である。
【０００３】
このように、縦置き姿勢のドライブに装備されたディスクトレイでは、ディスクホルダーによってディスクをディスクセット部に脱落しないように保持させておく必要があるけれども、横置き姿勢のドライブに装備されたディスクトレイでは、ディスクホルダーによってディスクを保持させる必要性は必ずしもない。
【０００４】
ところで、従来のディスクトレイには、ディスクセット部の周囲複数箇所に爪片状のディスクホルダーが揺動可能に設けられているもの（前者）や、ディスクセット部の周囲に樹脂弾性を利用してディスクを保持し得る位置とその外側の位置との間で変位可能にディスクホルダーが設けられているもの（後者）などがあった。
【０００５】
【発明が解決しようとする課題】
しかしながら、前者は、ディスクセット部にディスクをセットしてから、ディスクセット部の周囲複数箇所に設けられているディスクホルダーを一つ一つ個別に手指で回してディスクを保持し得る位置まで動かす必要があった。そのため、起立姿勢のディスクトレイが出し入れされるような縦置きドライブでは、ディスクトレイへのディスクの着脱時に、片手でディスクを持ち、反対側の手で複数箇所のディスクホルダーを一つ一つ個別に動かしてディスクを保持させるという面倒で煩わしい操作を行う必要があった。
【０００６】
また後者では、ディスクで複数箇所のディスクホルダーを弾性変位させて押し拡げながらそのディスクをディスクセット部へ押し込むという操作を行う必要があったので、ディスクが傷付くおそれがあった。
【０００７】
本発明は以上の状況に鑑みてなされたもので、ディスクの着脱時に１箇所の操作摘みを操作するだけで複数箇所のディスクホルダーを同時に同じように動作するディスクトレイを提供することを目的とする。
【０００８】
また、本発明は、ディスクをディスクセット部にセットする際やディスクセット部から取り出す際の初期段階でのみ操作摘みを操作するだけで、ディスクをセットしたり取り出したりすることのできるディスクトレイを提供することを目的とする。
【０００９】
さらに、本発明は、片手だけを使ってディスクをディスクセット部にセットしたりディスクセット部から取り外したりすることのできるディスクトレイを提供することを目的とする。
【００１０】
さらに、本発明は、ディスクをディスクホルダーで保持させておく必要のない横置き姿勢でドライブを用いる場合には、ディスクホルダーをディスクの出入れのじゃまにならない位置まで退避させておくことのできるディスクトレイを提供することを目的とする。
【００１１】
【課題を解決するための手段】
本発明に係るディスクトレイは、ディスクセット部の周囲複数箇所に、上記ディスクセット部にセットされたディスクの脱落を阻止する閉位置とディスクセット部へのディスクの出入れを可能にする開位置との間で出退可能にディスクホルダーが取り付けられたトレイ本体を有し、上記各ディスクホルダーを押引き動作を通じて同時に閉位置と開位置との間で出退させる可動体と、この可動体を押引き動作させるための操作摘みと、を備えているディスクトレイにおいて、上記可動体は、上記トレイ本体に重なり合う状態で配備されていると共に、トレイ本体に突設された係合片によって複数箇所で脱落しないように当該可動体の押引き方向である前後方向にスライド可能に保持されており、上記操作摘みが上記可動体の前端部に設けられていて、その操作摘みが上記トレイ本体の前端部に開設されている口部に嵌合されてトレイ本体の表側に露出されている。
【００１２】
本発明では、上記各ディスクホルダーが揺動して上記閉位置と上記開位置との間で出退可能であり、それぞれのディスクホルダーの揺動中心部とそれぞれのディスクホルダーに各別に対応する揺動部材とが、トレイ本体の複数箇所に回転可能に貫挿された各別の回転軸を介して連結されており、上記可動体はその押引き動作を通じて上記各揺動部材を正逆揺動させることにより上記各回転軸を介して上記各ディスクホルダーを同時に閉位置と開位置との間で出退させる機能を備えている、という構成を採用することが可能であり、その場合には、上記揺動部材が歯車であり、それぞれの揺動部材を形成している上記歯車に噛み合うラック部が上記可動体に設けられている、という構成を採用することが可能である。
【００１３】
この発明において、たとえば操作摘みを操作して可動体を押し込んだときにディスクホルダーが開位置から閉位置になり、その逆に、操作摘みを操作して可動体を引き込んだときにディスクホルダーが閉位置から開位置になるように構成した場合には、ディスクセット部にディスクをセットし、操作摘みで可動体を押し込むだけで全部のディスクホルダーが同時に閉位置になってディスクがディスクセット部に脱落しないように保持され、また、操作摘みで可動体を引き込むだけで全部のディスクホルダーが同時に開位置に後退してディスクを取り出すときにディスクホルダーがじゃまにならなくなる。
【００１４】
本発明において、可動体の押引き動作とディスクホルダーの出退動作とを連係させる手段には、上掲の揺動部材としての歯車とラック部との組合せのほか、揺動部材としての中折れリンクを利用したもの、などの種々の機構を適宜採用することができる。
【００１５】
また、本発明では、ディスクセット部が表側に形成された上記トレイ本体の表側に上記ディスクホルダーが配備され、上記トレイ本体の裏側に上記揺動部材と上記可動体とが配備され、上記操作つまみが上記可動体に連設されてトレイ本体に具備された口部からトレイ本体の表側に露出されていることが望ましい。これによると、ディスクを持った片手の親指などで操作摘みを操作することができる利便がある。
【００１６】
さらに、本発明では、上記各ディスクホルダーが上記閉位置に復帰する方向に常時弾発付勢されており、操作摘みの操作を通じて上記各ディスクホルダーが上記弾発付勢力に抗して閉位置から開位置に向けて揺動されるようになっていることが望ましい。これによれば、ディスクセット部にディスクをセットする際やディスクセット部からディスクを取り出す際だけに操作摘みを手指で操作すればよく、操作摘みを元位置に復帰させてディスクホルダーを閉位置にする復帰させる操作は、ディスクホルダーを付勢している弾発力によって自動で行われるのでディスクのセット時や取出し時の操作摘みの操作性が向上する。
【００１７】
本発明では、上記各ディスクホルダーが、上記可動体の押引き方向に交差する方向の往復直線運動を行って上記閉位置と上記開位置との間で出退可能であり、かつ、各ディスクホルダーが上記閉位置側に向けて常時弾発付勢されていると共に、それぞれのディスクホルダーに摺動部が具備されており、上記可動体は、その押引き動作を通じて上記摺動部に対する押圧動作又は離間動作を行ってその摺動部の変位を通じ上記ディスクホルダーを出退させる傾斜した作用面を備えている、という構成を採用することが可能である。この場合、ディスクセット部が表側に形成された上記トレイ本体の表側に上記ディスクホルダーが配備され、そのディスクホルダーに連設された脚片部が上記トレイ本体に開設された開口に挿通されており、その脚片部に形成された上記摺動部と上記可動体とが上記トレイ本体の裏側に配備され、上記操作つまみが上記可動体に連設されてトレイ本体に具備された口部からトレイ本体の表側に露出されていることが望ましい。
【００１８】
この発明によっても、操作摘みで可動体を押引き動作させることによってディスクセット部にセットしたディスクをディスクホルダーで脱落しないように保持させたり、ディスクホルダーをディスクセット部にセットされているディスクの取り出しにじゃまにならないようにすることが可能になる。また、ディスクセット部にディスクをセットする際やディスクセット部からディスクを取り出す際だけに操作摘みを手指で操作するだけで済み、操作摘みを元位置に復帰させて閉位置にする操作はディスクホルダーを常時付勢している弾発力によって自動で行われるので、ディスクのセット時や取出し時の操作摘みの操作性が向上する。さらに、操作つまみがトレイ本体の口部からトレイ本体の表側に露出されているものでは、ディスクを持った片手の親指などで操作摘みを操作することができる利便がある。
【００１９】
さらにこの発明では、上記開口の口縁からトレイ本体の裏側へ突き出された突片部と上記脚片部とそれらの突片部及び脚片部の端部同士を連設している湾曲部とによって弾性片部が形成され、この弾性片部と上記ディスクホルダーとトレイ本体とが合成樹脂で一体成形されていることが望ましい。
【００２０】
このものによると、弾性片部をＵ字状に形成してその全長を長くすることが可能になるので、弾性片部を形成している突片部や脚片部などの弾性変形によるディスクホルダーの出退量を大きく確保することが可能になる。そのため、ディスクホルダーの閉位置と開位置との間隔を離してディスクホルダーの出退動作の安定性を高めることが可能になる。また、弾性片部とディスクホルダーとトレイ本体とが合成樹脂で一体成形されていることにより、部品点数の増加が抑えられてそれだけコストダウンを達成しやすくなる。
【００２１】
上記可動体は、その作用面を上記摺動部から離間させる復帰方向に常時弾発付勢されていることが望ましい。これによれば、ディスクセット部にディスクをセットする際やディスクセット部からディスクを取り出す際だけに操作摘みを手指で操作するだけで済み、操作摘みを元位置に復帰させて閉位置にする操作は、ディスクホルダーを閉位置側に向けて常時付勢している弾発力によって自動で行われるので、ディスクのセット時や取出し時の操作摘みの操作性が向上する。
【００２２】
ところで、ディスクセット部にセットしたディスクの脱落をディスクホルダーによって防止しておく必要があるのは、主に縦置き姿勢のドライブに装備されているディスクトレイであるけれども、ドライブが横置き姿勢で用いられることもあり、そのような場合には、ディスクホルダーを開位置に保持してディスクセット部へのディスクの出入れを、操作摘みを操作することなく行えるようになっていることが望ましい。
【００２３】
本発明のディスクトレイをこの要求に対処させるためには、上記ディスクホルダーを開位置に保持する手段を備えていることが望ましい。たとえば、上記手段が、上記操作摘みとその操作摘みをトレイ本体の表側に露出させている上記口部の口縁部との間に着脱自在に介在されるスペーサでなり、そのスペーサが、操作摘み及びトレイ本体のうちのいずれか一方側に連結されている、という構成を採用することによって上記要求に対処させることが可能になる。
【００２４】
【発明の実施の形態】
図１は本発明に係るディスクトレイの第１実施形態の正面図、図２は同背面図、図３は他の状態での同正面図、図４は他の状態での同背面図である。
【００２５】
図例のディスクトレイＴはドライブＤに取り付けられていて、図示していない操作ボタンを操作することによってドライブＤに引き込まれたりドライブＤから押し出されたりする。このディスクトレイＴは、正面視矩形で平板状のトレイ本体１を有しており、このトレイ本体１の表側中央部に円形の凹所でなるディスクセット部２が備わり、そのディスクセット部２の周囲複数箇所（図例では４箇所）に爪片状のディスクホルダー３…が取り付けられている。具体的には、各ディスクホルダー３と一体成形された回転軸３１が、トレイ本体１に具備された貫通孔（図に現れない）にがたつかない状態で回転可能に貫挿されている。そのため、それぞれのディスクホルダー３は、回転軸３１を揺動中心として、図１に示したようにディスクセット部２にセットされたディスク１００の脱落を阻止する閉位置と、図３に示したようにディスクセット部２の外側へ後退した開位置との間で揺動して出退することができるようになっている。
【００２６】
図２又は図４のように、トレイ本体１の裏側には、そのトレイ本体１に重なり合う状態で門形ないしコ字形の枠体でなる可動体４が配備されていて、この可動体４が、トレイ本体１の裏側の適所に突設された係合片４１によって複数箇所で脱落しないように前後方向スライド可能に保持されている。この可動体４の複数箇所（図例では４箇所）に、前後方向に延びるラック部４２が備わっている。また、これらの各ラック部４２…に各別に噛み合っている歯車３２…が、上記回転軸３１の端部に固着されている。このため、可動体４が図２の矢印Ｆの方向に押し込まれたり図４の矢印Ｒの方向に引き込まれたりする押引き動作を行うと、その押引き動作がラック部４２を介して歯車３２の揺動運動に変換され、そのような歯車の揺動運動が回転軸３１を経てディスクホルダー３に伝わり、ディスクホルダー３が上記した閉位置と開位置との間で揺動する。この実施形態では、可動体４が図２の矢印Ｆの方向に押し込まれたときに、全部のディスクホルダー３…が開位置から閉位置に向けて同時に揺動し、可動体４が図４の矢印Ｒの方向に引き込まれたときに、全部のディスクホルダー３…が閉位置から開位置に向けて同時に揺動するように定められている。
【００２７】
上記トレイ本体１の前端部に矩形の口部１２が開設されている。これに対し、上記可動体４の前端部に操作摘み４３が設けられており、この操作摘み４３が上記口部１２に嵌合されてトレイ本体１の表側に露出されている。また、トレイ本体１の裏側と可動体４の前端部とにそれぞればね受部１３，４４とが設けられていて、これらの間にコイルばねでなるばね体５が介在され、このばね体５の弾発力によって可動体４が常時前方に向けて、すなわち押込み方向に向けて付勢されている。ばね体５の弾発力は、可動体４からラック部４２，歯車３２，回転軸３１を介してディスクホルダー３に伝わるので、各ディスクホルダー３…は、ばね体５の弾発力によって上記閉位置に復帰する方向に向けて常時付勢されていることになる。
【００２８】
以上のように構成された第１実施形態のディスクトレイＴによると、全部のディスクホルダー３…が、ばね体５の弾発付勢力によって常時は図１のように閉位置になっている。この状態からトレイ本体１のディスクセット部２にディスク１００をセットするときには、手指で操作摘み４３を図３又は図４の矢印Ｒのように口部１２内で後方に移動させる。このようにすると、操作摘み４３によって可動体４がばね体５の付勢に抗して後方に引き込まれるので、全部のディスクホルダー３…が閉位置から開位置にまで同時に揺動する。こうして全部のディスクホルダー３…を開位置にした状態のまま、ディスク１００をディスクセット部２に入れ、その後、操作摘み４３から手指を離すと、ばね体５の付勢によって可動体４が図２のように前方へ押し込まれ、それに伴って全部のディスクホルダー３…が閉位置に復帰する。この状態では、ディスクセット部２からのディスク１００の脱落がディスクホルダー３によって阻止される。
【００２９】
ディスクセット部２からディスク１００を取り出すときには、手指で操作摘み４３を図３又は図４の矢印Ｒのように口部１２内で後方に移動させることにより、可動体４をばね体５の付勢に抗して後方に引き込む。こうすると、全部のディスクホルダー３…が閉位置から開位置まで同時に揺動するので、ディスク１００をディスクセット部２から取り出すことができる。
【００３０】
上記したようなディスク１００を出し入れする際の操作摘み４３の引込み操作は、ディスク１００を持った片手の親指で容易に行うことができるので、片手だけを使ってディスク１００をディスクセット部２に容易に出し入れすることが可能である。
【００３１】
この第１実施形態では、可動体４の押引き動作を通じて歯車３２が正逆揺動されるようになっている。そのため、この歯車３２は、可動体４の押引き動作を通じて動作する揺動部材としての役割を担っている。
【００３２】
この第１実施形態では、ばね体５の弾発力によってディスクホルダー３が常時閉位置側に向けて付勢されているけれども、そのようになっていることは必ずしも必要ない。すなわち、ディスクホルダー３がばね体５によって付勢されていない場合には、操作摘み４３の操作で可動体４を手動で押引き操作すれば、ディスクホルダー３が可動体４のスライド方向に見合って閉位置になったり開位置になったりするので、操作摘み４３の操作によって可動体４の移動方向を適宜選択することによってディスクホルダー３を閉位置にしたり開位置にしたりすればよいからである。
【００３３】
図５は本発明に係るディスクトレイの第２実施形態の正面図、図６は同背面図、図７は他の状態での同正面図、図８は他の状態での同背面図、図９は要部を破断した拡大斜視図である。
【００３４】
この第２実施形態において、ディスクトレイＴがドライブＤに取り付けられていて、図示していない操作ボタンを操作することによってドライブＤに引き込まれたりドライブＤから押し出されたりする点、ディスクトレイＴが、正面視矩形で平板状のトレイ本体１を有しており、このトレイ本体１の表側中央部に円形の凹所でなるディスクセット部２が備わり、そのディスクセット部２の周囲複数箇所（図例では４箇所）にディスクホルダー３…が取り付けられている点、可動体４を備えている点、などは第１実施形態で説明したところと同様である。
【００３５】
この第２実施形態のディスクトレイＴにおいて、トレイ本体１には、図９に示したようにディスクホルダー３…の配備箇所に開口１４が形成されている。そして、開口１４の口縁からトレイ本体１の裏側へ突き出された突片部３３と、その突片部３３に湾曲部３４を介して連設されて開口１４に挿通された脚片部３５とによってＵ字形の弾性片部３６が形成されており、その弾性片部３６の上記脚片部３５に、トレイ本体１の表側に配備された板片状の上記ディスクホルダー３が連設されている。ここで、弾性片部３６とディスクホルダー３とトレイ本体１とは合成樹脂で一体成形されている。なお、上記開口１４は弾性片部３６やディスクホルダー３を一体成形した際の型抜き跡に相当している。
【００３６】
上記のように構成されたディスクホルダー３は、弾性片部３６の弾性変形を通じて一定範囲内で往復直線運動を行うことが可能で、そのような往復直線運動を行うことによって、トレイ本体１のディスクセット部２にセットされたディスク１００を脱落を阻止する閉位置とディスクセット部２へのディスク１００の出入れを可能にする開位置との間で出退可能である。しかも、ディスクホルダー３が少しでも開位置側に後退したときには、上記弾性片部３６を形成している合成樹脂の特性によって上記閉位置側に向けて弾発付勢されるようになる。
【００３７】
図６又は図８のように、トレイ本体１の裏側には、そのトレイ本体１に重なり合う状態で門形ないしコ字形の枠体でなる可動体４が配備されていて、この可動体４が、トレイ本体１の裏側に突設された係合片４１によって複数箇所で脱落しないように前後方向スライド可能に保持されている。ここで、ディスクホルダー３の出退方向は、可動体４の押引き動作方向（前後方向）に対して直交している。また、可動体４の複数箇所（図例では４箇所）に、傾斜した作用面４５が備わっているのに対し、上記弾性片部３６の脚片部３５には、作用面４５に対応する摺動部３８が備わっている（図９参照）。このため、可動体４が図６の矢印Ｆの方向に押し込まれたり図８の矢印Ｒの方向に引き込まれたりする押引き動作を行うと、その押引き動作によって作用面４５が摺動部３８を押圧して弾性片部３６を弾性変形させたり作用面４５が摺動部３８から離れて弾性片部３６を復帰させたりする。そして、摺動部３８が作用面４５により押圧されて弾性片部３６が弾性変形しときには、ディスクホルダー３が閉位置から開位置にまで後退し、摺動部３８が作用面４５から離れて弾性片部３６が復帰したときには、ディスクホルダー３が開位置から閉位置まで突き出す。このような動作は、全部のディスクホルダー３…について同時に行われる。
【００３８】
トレイ本体１の前端部に矩形の口部１２が備わり、その開口１２に、可動体４の前端部に設けられた操作摘み４３が嵌合されてトレイ本体１の表側に露出されている点は第１実施形態で説明したところと同様である。また、トレイ本体１の裏側のばね受部１３と可動体４の前端部のばね受部４４との間にコイルばねでなるばね体５が介在され、そのばね体５の弾発力によって可動体４が常時押込み方向に向けて付勢されている点も第１実施形態で説明したところと同様であり、このばね体５の付勢によって、可動体４がその作用面４５を摺動部３８から離間させる復帰方向に常時弾発付勢されている。
【００３９】
以上のように構成された第２実施形態のディスクトレイＴによると、全部のディスクホルダー３…が、弾性片部３６…自体の弾性によって常時は図５のように閉位置になっている。この状態からトレイ本体１のディスクセット部２にディスク１００をセットするときには、手指で操作摘み４３を図７又は図８の矢印Ｒのように口部１２内で後方に移動させる。このようにすると、操作摘み４３によって可動体４がばね体５の付勢に抗して後方に引き込まれるので、全部のディスクホルダー３…が閉位置から開位置にまで同時に後退する。こうして全部のディスクホルダー３…を開位置にした状態のまま、ディスク１００をディスクセット部２に入れ、その後、操作摘み４３から手指を離すと、ばね体５の付勢によって可動体４が図２のように前方へ押し込まれ、それに伴って全部のディスクホルダー３…が、ディスクセット部２にセットされたディスク１００の表面に対する閉位置に復帰する。この状態では、ディスクセット部２からのディスク１００の脱落がディスクホルダー３によって阻止される。
【００４０】
ディスクセット部２からディスク１００を取り出すときには、手指で操作摘み４３を図７又は図８の矢印Ｒのように口部１２内で後方に移動させることにより、可動体４をばね体５の付勢に抗して後方に引き込む。こうすると、全部のディスクホルダー３…が閉位置から開位置にまで同時に後退するので、ディスク１００をディスクホルダー３にじゃまされずにディスクセット部２から取り出すことができるようになる。
【００４１】
上記したようなディスク１００をディスクセット部２に出し入れする際の操作摘み４３の引込み操作は、ディスク１００を持った片手の親指で容易に行うことができるので、片手だけを使ってディスク１００をディスクセット部２に容易に出し入れすることが可能である。
【００４２】
この第２実施形態において、弾性片部３６の脚片部３５に設けられる摺動部３８を図１０に示したように傾斜面にしておき、その傾斜面３７が可動体４側の作用面４５と面摺動するようにしておいてもよく、そのようにしておくと動作安定性が向上する。
【００４３】
上記した第１実施形態及び第２実施形態は、縦置き姿勢のドライブに装備されるディスクトレイＴに適用することによって、ディスクセット部２にセットしたディスク１００の脱落を有効に防止し得る。しかしながら、ドライブを横置き姿勢で使用する場合には、ディスクホルダー３の通常位置が上記閉位置になっていることは、ディスクの出入れのじゃまになるので好ましくない。そのため、第１実施形態及び第２実施形態の各ディスクトレイでは、ドライブが横置き姿勢で用いられこともあることを考慮して、ディスクホルダー３を常時開位置に保持し得る手段を有していることが望ましい。
【００４４】
このような手段を図１１に例示してある。すなわち、図例の手段は、操作摘み４３とその操作摘み４３をトレイ本体１の表側に露出させている口部１２の口縁部との間に着脱自在に介在されるスペーサ６でなり、そのスペーサ６が、操作摘み４３にプラスチックヒンジ６１を介して連結されている。これによれば、図１１のようにスペーサ６を、後方へ引き込まれた操作つまみ４３から突出させて口部１２の口縁部に突き当てておくことにより、ディスクホルダー３が常時開位置に保持されるので、ディスクセット部２にディスク１００を出入れするときにディスクホルダー３がじゃまにならなくなる。なお、ドライブを縦置き姿勢で用いるときには、図１１に仮想線で示したようにスペーサ６を操作摘み４３に形成した空所４７に収容させておけばよい。
【００４５】
なお、図１〜図１１では、説明を重複を避けるため、同一又は相応する部分に同一符号を付してある。
【００４６】
【発明の効果】
以上のように本発明によれば、ディスクの着脱時に１箇所の操作摘みを操作するだけで複数箇所のディスクホルダーが同時に同じように動作して、ディスクをディスクセット部に脱落しないようにセットしたり、ディスクセット部からディスクを安全に取り出すことができるようになるので、従来のように一つ一つのディスクホルダーを個別に操作するという面倒な操作が不要になり、それだけ使い勝手が向上する。しかも、片手だけを使ってディスクをディスクセット部にセットしたりディスクセット部から取り外したりすることができるという利便もある。さらに、ディスクをディスクホルダーで保持させておく必要のない横置き姿勢でドライブを用いる場合には、ディスクホルダーをディスク出入れのじゃまにならない位置まで退避させておくことのできるので、本発明に係るディスクトレイを装備させたドライブは縦置き姿勢にも横置き姿勢にも適合する。
【図面の簡単な説明】
【図１】本発明に係るディスクトレイの第１実施形態の正面図である。
【図２】同背面図である。
【図３】他の状態での同正面図である。
【図４】他の状態での同背面図である。
【図５】本発明に係るディスクトレイの第２実施形態の正面図である。
【図６】同背面図である。
【図７】他の状態での同正面図である。
【図８】他の状態での同背面図である。
【図９】要部を破断した拡大斜視図である。
【図１０】摺動部の望ましい形状を示した斜視図である。
【図１１】ディスクホルダーを開位置に保持する手段を例示した説明図である。
【符号の説明】
Ｔ  ディスクトレイ
１  トレイ本体
２  ディスクセット部
３  ディスクホルダー
６  スペーサ
４  可動体
１２  口部
１４  開口
３１  回転軸
３２  歯車（揺動部材）
３３  突片部
３４  湾曲部
３６  弾性片部
３７  脚片部
３８  摺動部
４２  ラック部
４３  操作摘み
４５  作用面
１００  ディスク
【図１】
0003608490.tif 000002
【図２】
0003608490.tif 000003
【図３】
0003608490.tif 000004
【図４】
0003608490.tif 000005
【図５】
0003608490.tif 000006
【図６】
0003608490.tif 000007
【図７】
0003608490.tif 000008
【図８】
0003608490.tif 000009
【図９】
0003608490.tif 000010
【図１０】
0003608490.tif 000011
【図１１】
0003608490.tif 000012